(57)【要約】      （修正有）【課題】スパイク全体の鋼性を強化し、スパイクの使用寿命を延長すると共に、スパイクの平均厚さを薄くして製品の全体重量を大幅に軽減し、原材料の使用コストを減少して、市場競争力を高めた、薄型スパイク強化構造を提供する。【解決手段】薄型スパイク強化構造はプレス加工方式であらかじめ用意した板体を折り曲げて構成され、薄型スパイク１が結合部１０及び釘片部２０を含み、そのうち、前記結合部が運動靴の底部に固定され、前記結合部から湾曲されて円弧状を呈する前記釘片部が突起して延伸され、且つ、前記円弧状に折り曲げた新しい構造形態の設計により、スパイク全体の鋼性を強化し、スパイクを薄い金属で製造することができ、前記スパイクに強靭性と耐用性を持たせると同時に、製品を軽量化し、その実用性と進歩性を増進することができる。【選択図】図１
0003139762.tif 000002
【実用新案登録請求の範囲】
【請求項１】
一体成型の板体から成り、結合部及び釘片部を含み、そのうち、前記結合部が薄い片状であり、且つ薄い片状の結合部に湾曲されて円弧状を呈する前記釘片部が突起して設けられ、前記湾曲された円弧状を呈する針片部の構造形態の設計によりスパイクの鋼性構造を強化することを特徴とする、薄型スパイク強化構造。     
【請求項２】
前記釘片部の両側辺縁部を斜め平板として延伸して設けたことを特徴とする、請求項１に記載の薄型スパイク強化構造。
【請求項３】
前記結合部面上に結合孔を設けたことを特徴とする、請求項１または２に記載の薄型スパイク強化構造。       
【請求項４】
前記釘片部の両側辺縁部の湾曲箇所近くに結合部まで延伸された拡張縁部を設けたことを特徴とする、請求項１または２に記載の薄型スパイク強化構造。
【請求項５】
前記釘片部の湾曲箇所外側に結合部まで延伸された凹溝を設け、その内側に補強効果を備えた支持リブを形成したことを特徴とする、請求項１または２に記載の薄型スパイク強化構造。     
【請求項６】
前記凹溝がさらに釘片部の下端に向かって延伸されることを特徴とする、請求項１または２に記載の薄型スパイク強化構造。
【考案の詳細な説明】
【技術分野】
【０００１】
本考案は、薄型スパイク強化構造に関し、特に、運動靴の底に固定結合されるスパイクの構造であって、薄型化した板片を円弧状の釘片部とした構造形態の新しい設計で、スパイク全体の構造性を強化し、特に野球シューズや類似の構造に適している、薄型スパイク強化構造に関する。
【背景技術】
【０００２】
現在、運動品質の向上のため、運動選手は運動競技において、強靭な瞬発力が必須となるため、各種タイプのスポーツシューズが各種運動特性のニーズに合わせて設計されている。例えば、野球を例とすると、その従来の野球シューズ靴底のスパイク構造は、図６と図７に示すように、通常プレス加工によりあらかじめ用意された板体を湾曲して断面がＬ字形を成す板状の形式としており、大きく靴の底面に固定する横板aと地面に食い込ませるための突起した立板bに区分することができる。
【０００３】
しかしながら、従来のスパイク構造は、その立板bが真っ直ぐに折り曲げた設計であるため、使用上強大な瞬間的衝撃力によって往々にして前記立板bが折れ曲がってしまう現象が発生し、さらには断裂を発生することさえあり、スパイクの使用寿命が短くなってしまっている。このため、スパイクに充分な耐衝撃性を持たせるべく、市場ではこのようなスパイクの製造において、板片の厚さに1.6mmの鉄片を採用し、これをプレスして製造しているが、厚さが大きいスパイクは重量が重いとい欠点があり、且つ、近年世界の鋼鉄原料コストが高騰している現状がある。前記の従来のスパイクにおいてその構造性を一定のレベルに達させるためには1.6mmの板体厚さを採用して製造しなければならず、且つ鉄片材料コストも相対して高くなるため、前記製品は実用性と市場競争力に欠け、理想的ではない。
【０００４】
これに鑑みて、本考案は従来のスパイク構造の板体の厚さが厚く、重量が重いという欠点を改善すべく積極的な研究、設計組み立てを経て開発された強靭で耐用性が高い薄型スパイク強化構造を提供し、使用する鋼鉄量を少なくすると共に、製造されたスパイクの重量を軽くすることができる。
【考案の開示】
【考案が解決しようとする課題】
【０００５】
本考案の主な目的は、厚さが0.8mmの鉄片を採用して製造され、湾曲を経て円弧状を呈する突出したスパイク釘片部を設計し、これにより全体の鋼性を強化し、スパイクの使用寿命を延長した、薄型スパイク強化構造を提供することにある。
【０００６】
本考案の別の目的は、スパイクの平均厚さを薄くし、製品の全体重量を大幅に軽減して使用者の負担を抑え、その実用性を向上した、薄型スパイク強化構造を提供することにある。
【０００７】
本考案のさらに別の目的は、原材料の使用コストを減少し、市場競争力を高めた、薄型スパイク強化構造を提供することにある。    
【課題を解決するための手段】
【０００８】
上述の目的を達するため、本考案の薄型スパイク強化構造は一体成型の板体から成り、結合部及び釘片部を含み、そのうち、前記結合部は平板状の薄片であり、且つその上に運動靴の底部に固定するために用いられる結合孔が設けられ、さらに片側が湾曲されて円弧状を呈する釘片部が突起して延伸され、且つ、前記円弧状に折り曲げた新しい構造形態の設計により、スパイク全体の鋼性を強化でき、且つ、釘片部両側辺縁部の湾曲箇所近くに結合部まで延伸された拡張縁部が設けられ、さらに円弧状の湾曲箇所外側に凹溝が設けられ、その内側に補強効果を備えた支持リブを形成し、これにより、前記スパイクに強靭性と耐用性を持たせることができ、同時に製品を軽量化し、その実用性と進歩性を増進することができる。        
【考案を実施するための最良の形態】
【０００９】
本考案のその他特徴及び具体的な実施例について、以下、図面に基づき詳細に説明する。
【実施例１】
【００１０】
図１〜図３に示すように、本考案の薄型スパイク１の強化構造は、プレス加工方式を利用し、あらかじめ用意された板体を湾曲させて構成され、主に、結合部１０及び釘片部２０を含んで成る。
【００１１】
前記結合部１０は平板状の薄い片体であり、且つ、前記平板状の薄い片体面上には運動靴３０の靴底３１上に固定するために用いる結合孔１１が設けられる。前記釘片部２０は前記結合部１０の片側から湾曲されて延伸され、円弧状を呈する設計であり、この新しい形態の構造設計により、スパイク１全体の鋼性構造を強化できる。また、釘片部２０は両側辺縁部の湾曲箇所近くに拡張縁部２１が結合部１０まで延伸されて設けられ、その湾曲面積の長さを増加でき、さらに、円弧状の湾曲箇所外側に凹溝２２が設けられ、その内側に補強効果を備えた支持リブ２３を形成し、この設計により、前記湾曲箇所をさらに強靭にし、耐用性を向上することができる。
【００１２】
上述の構造設計により、スパイク１全体の鋼性構造を強化できるだけでなく、前記製品を軽量化することができる。
【００１３】
図１、図３に示すように、本考案のスパイク１の構造は、結合部１０の結合孔１１にネジ部材３２を貫通させて運動靴３０の靴底３１にあらかじめ設けられたネジ孔１１内に螺合固定され、使用者が隨時交換することができる。また、靴底３１の製造時にあらかじめ前記結合部１０を靴底３１内に埋設してもよく、靴底３１のプラスチック材料が前記結合孔１１に穿入され、しっかりと結合させることができる。
【００１４】
図４に示すように、本考案の結合部１０と釘片部２０の円弧状の湾曲箇所外側に設けた凹溝の設計は、凹溝２２’を釘片部の下端に向かってより延伸し、内部の対応する支持リブを増長してその補強効果を高めることもでき、且つ、前記凹溝２２’の設計は弧形、Ｖ字形、梯形等、異なる型状とすることもできる。
【実施例２】
【００１５】
図５に示すように、本考案の別の実施例は、主に前記円弧状の構造形態の釘片部の設計を，亦可將其円弧状両側の辺縁部を延伸して斜め平板２４を設け、前記釘片部２０’をＶ字円弧形状にした設計であり、より耐衝撃性を向上することができる。
【００１６】
上述をまとめると、本考案の薄型スパイク強化構造は、スパイク全体の鋼性構造を強化でき、スパイクの使用寿命を延長できるだけでなく、同時に板体を薄型化し、原材料のコストを抑え、製品全体の重量を軽くでき、実用性と市場競争力を向上できると共に、産業的利用価値を備えているため、法に従いここに実用新案登録を出願するものである。
【００１７】
上述のように本考案の具体的な実施例を開示したが、本考案はこれに制限されることはなく、関連技術を熟知した人物によるあらゆる修飾や変化も本考案に含まれるものとし、本考案の保護範囲は実用新案登録請求の範囲において定められる。
【図面の簡単な説明】
【００１８】
【図１】本考案の実施例の立体外観図である。
【図２】本考案の断面図である。
【図３】本考案を靴底に取り付けた状態の立体図である。
【図４】本考案の凹溝の設計の別の実施例を示す立体図である。
【図５】本考案の別の実施例の立体図である。
【図６】従来のスパイクの立体外観図である。
【図７】従来のスパイクの断面図である。
【符号の説明】
【００１９】
a        横板
b        立板
１        スパイク
１０        結合部
１１        結合孔
２０、２０’    釘片部
２１        拡張縁部
２２、２２’    凹溝
２３        支持リブ
２４        斜め平板
３０        運動靴
３１        靴底
３２        ネジ部材
【図１】
0003139762.tif 000003
【図２】
0003139762.tif 000004
【図３】
0003139762.tif 000005
【図４】
0003139762.tif 000006
【図５】
0003139762.tif 000007
【図６】
0003139762.tif 000008
【図７】
0003139762.tif 000009